(57)【要約】【課題】心的外傷後ストレス障害（ＰＴＳＤ）型を診断し、そのタイプを容易に判別する方法を提供する。【解決手段】被験者の唾液中のクロモグラニンＡ濃度又は総量の測定をストレス負荷前好ましくは３０分以内に１回以上、ストレス負荷後好ましくは３０分以内に２回以上測定し、該濃度又は総量の増減による心的外傷後ストレス障害の診断方法、ならびに該濃度又は総量その変化を、１）ストレス負荷後、クロモグラニンＡの濃度又は総量の極小値が観察される類型２）ストレス負荷後、クロモグラニンＡの濃度又は総量の極大値が観察される類型３）ストレス負荷後、クロモグラニンＡの濃度又は総量の単調増加が観察される類型；に類別することによる、心的外傷後ストレス障害のタイプを判定する方法。【選択図】図１
2004061436.tif 000002
【特許請求の範囲】
【請求項１】
被験者の唾液中のクロモグラニンＡ濃度をストレス負荷前に１回以上、ストレス負荷後２回以上測定し、該濃度の増減から心的外傷後ストレス障害（ＰＴＳＤ）を診断する方法。
【請求項２】
被験者の唾液中のクロモグラニンＡ濃度をストレス負荷前に１回以上、ストレス負荷後に２回以上測定し、該濃度の変化を、
１）ストレス負荷後、クロモグラニンＡの濃度の極小値が観察される類型
２）ストレス負荷後、クロモグラニンＡの濃度の極大値が観察される類型
３）ストレス負荷後、クロモグラニンＡの濃度の単調増加が観察される類型
に類別することからなる心的外傷後ストレス障害（ＰＴＳＤ）のタイプを判定する方法。
【請求項３】
被験者の唾液中のクロモグラニンＡ総量をストレス負荷前に１回以上、ストレス負荷後に２回以上測定し、該総量の増減から心的外傷後ストレス障害（ＰＴＳＤ）を診断する方法。
【請求項４】
被験者の唾液中のクロモグラニンＡ総量をストレス負荷前に１回以上、ストレス負荷後に２回以上測定し、該総量の変化を、
１）ストレス負荷後、クロモグラニンＡの総量の極小値が観察される類型
２）ストレス負荷後、クロモグラニンＡの総量の極大値が観察される類型
３）ストレス負荷後、クロモグラニンＡの総量の単調増加が観察される類型
に類別することからなる心的外傷後ストレス障害（ＰＴＳＤ）のタイプを判定する方法。
【請求項５】
被験者の唾液中のクロモグラニンＡ濃度をストレス負荷前３０分以内に１回以上、ストレス負荷後３０分以内に２回以上測定することからなる請求項２記載の方法。
【請求項６】
被験者の唾液中のクロモグラニンＡ総量をストレス負荷前３０分以内に１回以上、ストレス負荷後３０分以内に２回以上測定することからなる請求項４記載の方法。
【発明の詳細な説明】
【０００１】
【発明の属する技術分野】
本発明は、精神疾患の１つである、心的外傷後ストレス障害（ＰＴＳＤ）の診断およびそのタイプを判定する方法に関する。より詳しくは、唾液中のクロモグラニンＡの濃度又は総量を測定することによって、その動態から心的外傷後ストレス障害（ＰＴＳＤ）のタイプを判定する方法に関する。
【０００２】
【従来の技術】
ストレスは一般には、ヒト個体の心身に特別の負荷のかかった状態を指し、疲労感、不眠、不快感、焦燥、不安などを生じさせる。ストレスを引き起こす外的因子には、暑さや寒さ、騒音、酸素の欠乏などの、物理的または化学的因子、ならびに飢餓や、ビタミン不足、重労働、妊娠などの生物学的因子、さらには対人関係、職業、生活環境、経済問題などの心理的社会的因子が挙げられるが、中でも近年心理的社会的ストレスが大きな問題となっている。
【０００３】
このような心理的社会的ストレスによる精神的疾患として、心的外傷後ストレス障害（Ｐｏｓｔ−Ｔｒａｕｍａｔｉｃ　Ｓｔｒｅｓｓ　Ｄｉｓｏｒｄｅｒ；ＰＴＳＤ）が知られている。この心的外傷後ストレス障害（ＰＴＳＤ）は、生命や身体保全に対する重大な脅威となるような突然の衝撃的出来事、例えば自然災害、産業事故、交通事故、犯罪被害、レイプ被害、暴力被害、あるいは幼児期虐待を経験することによって、それらの出来事が心的外傷（トラウマ）となって生じる、特徴的な精神障害である。その特徴的な症状はトラウマに関連する、再体験（想起）、回避、麻痺、覚醒亢進、過度の驚愕反応、解離などである。
【０００４】
ここで、心的外傷後ストレス障害（ＰＴＳＤ）の患者にはその症状により大きく３つのタイプがある。
第一は、解離後過剰反応型とよばれるもので、このタイプはトラウマを思い出すなどのストレスを受けたときに、その場は冷静に対処できるものの、その後過剰に後悔したり、その場では感じなかった怒りを後に過剰に感じてしまうという特徴をもつ。
第二は、正常型とよばれるもので、このタイプはストレスを受けると、ストレスを長期間持続させることなく、その場で対処ができるという特徴をもつ。きわめて軽症で、健常な人にも多くみられるタイプである。
第三は、過剰反応型とよばれるもので、普段から緊張を感じ続け、ストレスに対して過剰に反応するタイプである。このタイプはストレスを受けた時点で、即座に反応し、対処もできるがその場が収まってもそのストレスを持続させてしまうという特徴があり、長期間にわたってストレスに対する反応があり、その結果、突然怒りを爆発させる等の形で増大した症状が現れることが多い。
【０００５】
これらの３つのタイプは、それぞれ治療方法や対処方法が異なる。解離後過剰反応型の場合はストレスが持続するタイプであるため、抗不安薬などの薬物を使用する場合もある。また、正常型の場合には、カウンセリングで対処できる。さらに、過剰反応型の場合は、カウンセリングや薬物治療の他に作業療法などを組み合わせることが有効である。
ＰＴＳＤは他の精神障害を合併しやすく、また、その重症度や慢性度、さらに患者の取り巻く環境によっても治療の方針はさまざまであるが、その方針を決める手がかりの一つとして、心的外傷後ストレス障害（ＰＴＳＤ）のうち上記のいずれのタイプに該当するかを予め診断することが望ましい。
【０００６】
ところで、近年ではストレスを一定の尺度で測定することによって、ストレスの度合いを客観的に評価し、健康管理に役立てたり、適切なカウンセリングや治療を受ける際に利用しようという試みがなされている。これらの多くはストレス状態により変化する血液や体液中の成分濃度を測定してその値の増減をストレスの指標にするものである。
特開平９−１５２４３０号公報では、体液中の分子量約１４ｋＤａのタンパク質を測定することにより、精神的なストレス症障害の診断について開示している。
また特開２０００−１４６９６２公報では血清中のラクトフェリンを測定することによる、妊婦のストレスの診断が開示されている。
しかし、上記特開平９−１５２４３０号公報および特開２０００−１４６９６２公報に示される精神的なストレス性障害の診断方法では、ストレス負荷の存在を診断することは可能であるが、ストレス起因性の障害のタイプの判別、例えば心的外傷後ストレス障害（ＰＴＳＤ）のタイプを分類して判別することは示されていない。また、特開２０００−１４６９６２公報のような血液を使用するストレス測定法は試料採取にあたり、被験者に苦痛を与えることもある。
【０００７】
【発明が解決しようとする課題】
本発明の課題は、患者に過大な負担をかけることなく、心的外傷後ストレス障害（ＰＴＳＤ）の適切な治療方針を決定するための手がかりの一つとして、上記心的外傷後ストレス障害（ＰＴＳＤ）を診断し、その該障害の３つのタイプを類別する方法を提供することである。
【０００８】
【課題を解決するための手段】
本発明者らは、心的外傷後ストレス障害（ＰＴＳＤ）の症状の測定にあたり、ストレスの影響によって増減することが知られている唾液中の物質、クロモグラニンＡに着目した。
クロモグラニンＡ（ＣｇＡ）は、可溶性の酸性タンパク質であるクロモグラニン類の一種であり、クロム親和性細胞中に見出すことができる。またクロモグラニンＡはカテコールアミンおよびペプチドホルモンを分泌する様々なニューロンおよびパラニューロン中の分泌腺細胞中にも貯蔵されており、内臓への刺激に応答してアドレナリンおよびノルアドレナリンと共に放出される。さらに、激しい運動が血漿中のクロモグラニンＡ濃度を増加させることも知られている。
クロモグラニンＡが生体中で果たす機能の詳細については未だ不明であるけれども、本発明者等は、ストレス負荷前後における唾液中のクロモグラニンＡ濃度または総量の変化が、被験者の心的外傷後ストレス障害（ＰＴＳＤ）のタイプと相関があり、特定の類型を示すことを利用して診断に使用できることを見出した。
そこで、この知見に基づいて本発明者らは鋭意検討し、従来、画一的な判断が難しかった心的外傷後ストレス障害の各タイプの分類を容易にできる方法として本発明を完成させた。
【０００９】
すなわち、本発明は被験者の唾液中のクロモグラニンＡ濃度をストレス負荷前１回以上、ストレス負荷後に２回以上測定し、ストレス負荷後の唾液中のクロモグラニンＡ濃度の増減から心的外傷後ストレス障害（ＰＴＳＤ）を診断する方法に関する。
さらに本発明は、被験者の唾液中のクロモグラニンＡ濃度の測定をストレス負荷前に１回以上、ストレス負荷後に２回以上測定し、該濃度の変化を、
１）ストレス負荷後、クロモグラニンＡの濃度の極小値が観察される類型
２）ストレス負荷後、クロモグラニンＡの濃度の極大値が観察される類型
３）ストレス負荷後、クロモグラニンＡの濃度の単調増加が観察される類型
に類別することからなる心的外傷後ストレス障害（ＰＴＳＤ）のタイプを判定する方法に関する。
また本発明は上記クロモグラニンＡの濃度をクロモグラニンの総量に代えて判定する方法にも関する。具体的には、
被験者の唾液中のクロモグラニンＡ総量をストレス負荷前１回以上、ストレス負荷後に２回以上測定し、ストレス負荷後の唾液中のクロモグラニンＡ総量の増減から心的外傷後ストレス障害（ＰＴＳＤ）を診断する方法であり、また、被験者の唾液中のクロモグラニンＡ総量の測定をストレス負荷前に１回以上、ストレス負荷後に２回以上測定し、該総量の変化を、
１）ストレス負荷後、クロモグラニンＡの総量の極小値が観察される類型
２）ストレス負荷後、クロモグラニンＡの総量の極大値が観察される類型
３）ストレス負荷後、クロモグラニンＡの総量の単調増加が観察される類型
に類別することからなる心的外傷後ストレス障害（ＰＴＳＤ）のタイプを判定する方法である。
上記被験者の唾液中のクロモグラニンＡ濃度または総量の測定は、予め決められた時間の範囲内で測定すべきであり、標準的にはストレス負荷前３０分以内に１回以上、ストレス負荷後３０分以内に２回以上測定することが望ましい。もっとも好ましくはストレス負荷前３０分以内に１回以上、ストレス負荷直後とその後３０分以内に１回以上測定するものである。
【００１０】
【発明の実施の形態】
本発明の心的外傷後ストレス障害（ＰＴＳＤ）のタイプの判定方法は、被験者にストレス負荷を与えたときの唾液中のクロモグラニンＡ濃度または総量の変化に基づく。そのため診断の際には被験者にストレスを負荷する必要があるが、まず、被験者にとって、心的障害を受ける対象を診断する必要がある。これは被験者にストレス負荷を与えてストレス負荷前のクロモグラニンＡの濃度または総量に対する負荷後の該濃度または総量の増減の程度により診断する。
ストレスの負荷の方法は様々な方法が採用でき、特に限定されないが、心的障害の原因となっている過去の事象を被験者に思い出させることが用いられる。例えばそれに関連する写真を見せる、心的障害の原因となるものについて話をさせる、あるいは苦手意識のある行為を体験してもらう等の方法がある。該期間としては、被験者に対する負担等を考慮して１分間程度とすることが好ましい。
【００１１】
本発明では、ストレス負荷前好ましくは３０分以内に１回以上測定し、次いでストレス負荷後好ましくは３０分以内に２回以上測定し、クロモグラニンＡの濃度または総量の変化を観察し、その増減によって、心的外傷後ストレス障害を類別する。そして具体的には、上記の各３つのクロモグラニンＡの濃度または総量の変化の類型により心的外傷後ストレス障害を類別する。
そして本発明は、上記ストレス負荷前後の唾液中のクロモグラニンＡ濃度または総量の変化の類型が、上記の心的外傷後ストレス障害（ＰＴＳＤ）の３つのタイプ、解離後過剰反応型、正常型および過剰反応型と関連づけが可能であるという知見に基づくものである。
そして、解離後過剰反応型は上記１）のストレス負荷後、クロモグラニンＡの濃度または総量の極小値が観察される類型、すなわち、唾液中のクロモグラニンＡの濃度または総量はストレス負荷前からストレス負荷後にかけて値が減少しそして極小値を示し、その後は値が増加するのが観察される場合が該当する。
また、正常型は上記２）のストレス負荷後、クロモグラニンＡの濃度または総量の極大値が観察される類型、すなわち、唾液中のクロモグラニンＡの濃度または総量はストレス負荷前からストレス負荷後にかけて値が増加しそして極大値を示し、その後は値が減少するのが観察される場合が該当する。
さらに、過剰反応型は上記３）のストレス負荷後、クロモグラニンＡの濃度または総量の単調増加が観察される類型、すなわち唾液中のクロモグラニンＡの濃度または総量はストレス負荷前からストレス負荷後にかけて値が単調増加するのが観察される場合が該当する。
このように、得られた類型から被験者の心的外傷後ストレス障害（ＰＴＳＤ）のタイプを特定し、それにより適当な治療の指針を選択する目安とすることができる。
【００１２】
なお、唾液中のクロモグラニンＡの濃度または総量のデータは、極小値や極大値の出現を確認するため、最低ストレス負荷前に１データ、負荷後に２データ必要である。これらのデータは連続測定するなどより多くのデータをプロットしてもよい。あるいは、より多くのデータを平均してデータの代表値を算出し、データとして使用できる。
【００１３】
本発明におけるクロモグラニンＡ濃度または総量の測定方法は、特に限定されないが、例えば特開平１１−１５３５９８号公報に記載のＥＬＩＳＡ法、ＲＩＡ法、ラテックス法などの免疫法が一般的な方法である。その概略は以下の通りである。
すなわち、ヒトＣｇＡのアミノ酸配列のうちの一部、具体的には３４４〜３７４残基に相当する以下のアミノ酸配列（Ｉ）
ＥＥＥＥＤ　ＮＲＤＳＳ　ＭＫＬＳＦ　ＲＡＲＡＹ
ＧＦＲＧＰ　ＧＰＱＬＲ　Ｒ　　　　　　　　　　　（Ｉ）
を有するペプチドを抗原としてヒトを除く温血動物に免疫し、産出したヒトＣｇＡに特異的な反応を有する抗体を用いたイムノアッセイからなる。この方法により、ヒトの組織、血液、尿、骨髄液、唾液等の中に存在するＣｇＡおよびその関連ペプチドを有効に測定および検出することができる。
【００１４】
さらにこの方法に基づき、測定プレート、抗原、抗体、試薬等の前処理および調剤方法を最適化した以下の要素：
ａ）抗ＩｇＧ抗体を固定化した複数のウェルを有する測定プレートと、
ｂ）アミノ酸配列（Ｉ）
ＥＥＥＥＤ　ＮＲＤＳＳ　ＭＫＬＳＦ　ＲＡＲＡＹ
ＧＦＲＧＰ　ＧＰＱＬＲ　Ｒ　　　　　　　　　　　（Ｉ）
を有するペプチドを緩衝液に溶解し、そして凍結乾燥して得られる標準抗原と、ｃ）アミノ酸配列（Ｉ）のＮ末端側にビオチニル基および二つのグリシン残基が結合したアミノ酸配列を有するペプチドを緩衝液に溶解し、そして凍結乾燥して得られるビオチン標識抗原と、
ｄ）前記アミノ酸配列（Ｉ）を有するペプチドを温血動物に免疫して得られる抗血清からＩｇＧ抗体を精製し、該ＩｇＧ抗体画分を緩衝液に溶解し、そして凍結乾燥して得られる特異抗体と、
ｅ）ストレプトアビジン−ホースラディッシュペルオキシダーゼを緩衝液に溶解し、そしてペルオキシダーゼ共役安定保存液で希釈して得られるストレプトアビジン−ホースラディッシュペルオキシダーゼ溶液と、
ｆ）発色剤と、
ｇ）反応停止液と、
ｈ）緩衝液
からなる測定キットを用いたクロモグラニンＡの測定は、操作が簡単かつ高感度であり、また測定キットの長期間保存も可能であることから非常に好ましい。
【００１５】
被験者からの唾液検体の採取は、例えばサリベット（ザールステット社製）を用いて行う。実際には、先ずサリベットから滅菌済みの円筒スポンジを取り出し、被験者に該スポンジを約４５秒程度噛ませ、その後、円筒スポンジをサリベット本体に戻し遠心分離を行うことによって０．５〜１．５ｍＬの唾液検体を得ることができる。このような検体採取法は、検体採取に際し被験者に採血のような負担をかけないので、非常に好ましい。
【００１６】
【実施例】
以下の実施例により本発明をより詳細に説明するが、本発明はこれらの実施例に限定されることはない。
実施例１：　　
１）クロモグラニンＡ（以下ＣａＡとも記載する）の測定
以下のようにして測定に用いる各要素を調製した。
ａ）測定プレートの調製
９６ウェルプレート（ＭａｘｉＳｏｒｐ　Ｎｕｎｃ社製）の各ウェルに０．０１Ｍリン酸緩衝液で２００倍に希釈したヤギ抗ウサギＩｇＧ抗体（ＩＣＮ／ＣＡＰＰＥＬ社製）を１００μＬずつ分注した。２５℃で２０時間静置した後、上清を捨て、蒸留水で４倍に希釈したブロッキング剤（商品名：ブロックエース、大日本製薬株式会社製）を各ウェルに３５０μＬずつ分注した。４℃で２日間静置した後、上清を捨て、３％スクロース含有緩衝液を各ウェルに２００μＬずつ分注した。４℃で２日間静置した後、上清を捨て、プレートを転倒させて３日間乾燥させた。
ｂ）標準抗原溶液の調製
ヒトＣｇＡの３４４〜３７４残基に相当するアミノ酸配列（前記アミノ酸配列（Ｉ））を有するペプチドを合成し、該合成ペプチドをリン酸緩衝液に溶解して４μｍｏｌ／ｍＬの溶液を調製し、該溶液を２５μＬずつ分注して凍結乾燥した。凍結乾燥後、０．５％のウシ血清アルブミン、０．０２５ＭのＥＤＴＡおよび０．１５ＭのＮａＣｌを含有する０．０１Ｍリン酸緩衝液（ｐＨ７．４）１ｍＬに再溶解した。
ｃ）ビオチン標識抗原溶液の調製
ヒトＣｇＡの３４４〜３７４残基に相当するアミノ酸配列（前記アミノ酸配列（Ｉ））のＮ末端側にビオチニル基および二つのグリシン残基が結合したアミノ酸配列を有するペプチドを合成し、該合成ペプチドをリン酸緩衝液に溶解して３０ｎｇ／ｍＬの溶液を調製し、該溶液を１ｍＬずつ分注して凍結乾燥した。凍結乾燥後、蒸留水６ｍＬに再溶解した。
ｄ）特異抗体溶液の調製
ヒトＣｇＡの３４４〜３７４残基に相当するアミノ酸配列（前記アミノ酸配列（Ｉ））を有するペプチドを合成し、該合成ペプチドを抗原としてウサギに免疫して得られた血清（ウサギ抗ヒトＣｇＡ（３４４〜３７４）血清ＲＹ７６、株式会社矢内原研究所製）を、ｓｔａｐｈｙｌｏｃｏｃｃｕｓ　ａｕｒｅｕｓ由来のプロテインＡを結合させた多孔性セルロースゲル（商品名：プロテインＡ−セルロファイン、チッソ株式会社製）を充填したカラムに通して精製し、ＩｇＧ抗体をセルロースゲルに吸着させた。次いで該カラムに０．１Ｍクエン酸緩衝液（ｐＨ４．０）を通し、ＩｇＧ抗体を溶離させ、得られたＩｇＧ抗体画分を限外濾過により濃縮して精製前と等量とし、その後リン酸緩衝液で４倍に希釈した。得られたＩｇＧ抗体画分を３ｍＬずつ分注して凍結乾燥し、凍結乾燥後、蒸留水１２ｍＬに再溶解した。
ｅ）ストレプトアビジン−ホースラディッシュペルオキシダーゼ溶液の調製
ストレプトアビジン−ホースラディッシュペルオキシダーゼ（Ｏｎｃｏｇｅｎｅ社製）を１ｍＬのリン酸緩衝液に溶解させ、さらにペルオキシダーゼ共役安定保存液（商品名：Ｇｕａｒｄｉａｎ、Ｐｉｅｒｃｅ社製）で５，０００倍に希釈した。
ｆ）発色剤の調製
０．０１５％の過酸化水素水を含む０．１Ｍリン酸ナトリウム−クエン酸緩衝液１３ｍＬに、１０ｍｇのｏ−フェニレンジアミンを溶解した。
ｇ）反応停止液の調製
反応停止液として２Ｎ硫酸を調製した。
【００１７】
２）検体採取
唾液採取具：サリベット（ザールステット社製）を用い、被験者Ａ（男性４３歳）、被験者Ｂ（女性３６歳）、被験者Ｃ（女性６１歳）、被験者Ｄ（男性５７歳）よりなる４人の被験者にサリベットの円筒スポンジを噛ませて唾液を採取してストレス負荷前の唾液とした。その後、被験者に心的障害の原因となっていると考えられる過去の事象を１分間思い出させストレス負荷をかけた。ストレス負荷直後、同様に唾液採取具の綿を噛ませ、被験者の唾液を採取してストレス負荷直後の唾液とし、さらに２０分後にも同様に被験者の唾液を採取してストレス負荷２０分後の唾液とした。各唾液を３，０００ｒｐｍで５分間遠心分離（遠心機１０Ａ：クボタ社製）して測定検体とした。クロモグラニンＡの測定前に、各測定検体の体積をメスシリンダーで計量し、クロモグラニンＡの濃度をその体積と乗ずることにより唾液中のクロモグラニンＡの総量とした。
【００１８】
３）クロモグラニンＡの測定
３．１）希釈標準抗原溶液の調製
標準抗原溶液ｂ）０．１ｍＬと標準抗原溶液ｂ）の調製に用いた０．０１Ｍリン酸緩衝液０．２ｍＬとを混合し、３３．３３ｐｍｏｌ／ｍＬの希釈標準抗原溶液を得た。さらにこの溶液について同様の３倍希釈の操作を６回行い、１１．１１、３．７０、１．２３、０．４１、０．１４および０．０５ｐｍｏｌ／ｍＬの希釈標準抗原溶液を得た。また０ｐｍｏｌ／ｍＬの希釈標準抗原溶液として、該０．０１Ｍリン酸緩衝液をそのまま用いた。
３．２）抗体反応
測定プレートａ）を０．０５％のＴｗｅｅｎ２０および０．９％のＮａＣｌを含有する生理食塩水で３回洗浄した。洗浄後、測定プレートの各ウェルに、標準抗原溶液ｂ）の調製に用いた０．０１Ｍリン酸緩衝液５０μＬ、希釈標準抗原溶液２５μＬまたは測定検体２５μＬ、ビオチン標識抗原溶液ｃ）５０μＬ、および特異抗体溶液ｄ）１００μＬを順に分注し、２５℃で一晩（１６〜２０時間）静置した。
３．３）定量
抗体反応の終了後、測定プレートを前記生理食塩水で３回洗浄し、次いでストレプトアビジン−ホースラディッシュペルオキシダーゼ溶液ｅ）１００μＬを各ウェルに分注し、室温で２時間プレート振盪機を用いて混和した。その後、測定プレートａ）を前記生理食塩水で４回洗浄し、発色剤ｆ）１００μＬを各ウェルに分注し、室温で３０分間静置した。３０分経過後、反応停止液ｇ）１００μＬを各ウェルに分注した。こうして処理した測定プレートについてプレートリーダーにより波長４９２ｎｍでの吸光度を測定した。希釈標準抗原溶液についての測定値より検量線を作成し、そして該検量線に基づいて測定検体中のヒト・クロモグラニンＡの量を定量した。
【００１９】
（結果）
（１）唾液中のクロモグラニンＡ濃度の変化
表１に唾液中のクロモグラニンＡ濃度の変化を、図１にそれを視覚化したグラフを示す。
【表１】
2004061436.tif 000003
表１の数値の変化から、被験者Ａはストレスに過剰に反応する過剰反応型、Ｂ，Ｃは解離後過剰反応型と判定した。Ｄは正常型と判定した。この数値の変化は図１に示すようにグラフ化すると明瞭である。
臨床試問の結果、被験者Ａは親近者の交通事故を目撃したことが、Ｂは父親による幼少期の虐待が，Ｃは母親による幼少期の虐待が、Ｄは、人前で失禁したことが、それぞれストレスの原因になっていた。
【００２０】
（２）唾液中のクロモグラニンＡ総量
表２に唾液中のクロモグラニンＡ総量の変化を、図２にそれを視覚化したグラフを示す。
【表２】
2004061436.tif 000004
それぞれの被験者における唾液中のクロモグラニンＡ総量もクロモグラニンＡ濃度と同様の変化の類型を示した。すなわち、表２の数値の変化からも、被験者Ａはストレスに過剰に反応する過剰反応型、Ｂ，Ｃは解離後過剰反応型と判定でき、Ｄは正常型と判定できる。
【００２１】
【発明の効果】
以上に示したように、本発明によれば、ストレス負荷前後の唾液中のクロモグラニンＡの濃度または総量の増減によって、心的外傷後ストレス障害（ＰＴＳＤ）の診断が可能であり、さらに、ストレス負荷前後の唾液中のクロモグラニンＡの濃度または総量の動態の類型を分類することによって、心的外傷後ストレス障害（ＰＴＳＤ）の各タイプを画一的に判断できる。このため、被験者の心的外傷後ストレス障害（ＰＴＳＤ）のタイプを容易に知ることができるので、治療の際、そのタイプによって異なる治療方針を適切に選択するための目安とすることができる。さらに、本発明の方法は血液に比べて試料採取のより容易な唾液を使用するため、被験者に過大な負担をかけることのない点でも有利である。
【図面の簡単な説明】
【図１】表１に示す唾液中のクロモグラニンＡ濃度の変化を示すグラフである。
【図２】表２に示す唾液中のクロモグラニンＡ総量の変化を示すグラフである。
【図１】
2004061436.tif 000005
【図２】
2004061436.tif 000006